(57)【特許請求の範囲】
【請求項１】
被検眼にハロゲン電球からなる光源が出射する照明光を照射する照明系と、
この照明系により照明される被検眼の像を観察する観察系とを有する顕微鏡において、
前記照明系の光路又は観察系の光路のいずれかに挿脱可能に備えた照明光又は観察光の色温度を変換する色温度変換素子と、
前記被検眼に対する観察モードを、前眼部観察モードと眼内観察モードとに切り換えるモード切替手段と、
モード切替手段により眼内観察モードに切り換えた時前記色温度変換素子を前記照明系の光路又は観察系の光路のいずれかに挿入し、前眼部観察モードに切り換えた時前記色温度変換素子を前記照明系の光路又は観察系の光路から離脱させる変換素子駆動手段と、
を有することを特徴とする実体顕微鏡。
【請求項２】
被検眼にハロゲン電球からなる光源が出射する照明光を照射する照明系と、
この照明系により照明される被検眼の像を観察する観察系とを有する実体顕微鏡において、
前記被検眼に対する観察モードを、前眼部観察モードと眼内観察モードとに切り換えるモード切替手段と、
モード切替手段による眼内観察モード、前眼部観察モードへの切り替えに応じて、前記ハロゲン電球からなる光源の電圧を変更し、被検眼の眼内に対する照明光、前眼部に対する照明光の各照度の最適化を行う光源電圧制御手段と、
を有することを特徴とする実体顕微鏡。
【請求項３】
被検眼にハロゲン電球からなる光源が出射する照明光を照射する照明系と、
この照明系により照明される被検眼の像を観察する観察系とを有する実体顕微鏡において、
前記照明系の光路又は観察系の光路のいずれかに挿脱可能に備えた照明光又は観察光の色温度を変換する色温度変換素子と、
前記被検眼に対する観察モードを、前眼部観察モードと眼内観察モードとに切り換えるモード切替手段と、
モード切替手段により眼内観察モードに切り換えた時前記色温度変換素子を前記照明系の光路又は観察系の光路のいずれかに挿入し、前眼部観察モードに切り換えた時前記色温度変換素子を前記照明系の光路又は観察系の光路から離脱させる変換素子駆動手段と、
前記モード切替手段による眼内観察モード、前眼部観察モードへの切り替えに連動して、前記ハロゲン電球からなる光源の電圧を変更し、被検眼の眼内に対する照明光、前眼部に対する照明光の各照度の最適化を行う光源電圧制御手段と、
を有することを特徴とする実体顕微鏡。
【発明の詳細な説明】
【０００１】
【発明の属する技術分野】
本発明は、実体顕微鏡に関し、詳しくは、見易い眼底像等を観察することができ、被検眼の眼底観察、眼底治療を容易にすることができる細隙灯顕微鏡、手術用顕微鏡等のような実体顕微鏡に関する。
【０００２】
【従来の技術】
例えば、細隙灯顕微鏡のような実体顕微鏡により被検眼の眼底観察を行う際や、眼底に対して光凝固等の治療を行う際に、コンタクトレンズ又は前置レンズが用いられる。被検眼の眼底像を両眼視しようとすれば、このとき観察視野内にコンタクトケンズ又は前置レンズによる反射光が入ってくる。これを避けるためには観察光軸と照明光軸との角度を大きくしなければならず、この結果、被検眼の両眼視ができなくなる。従って、必然的に観察光軸と照明光軸との角度を小さくする必要がある。
【０００３】
また、被検眼の眼底の光凝固を行う場合には、細隙光（スリット光）の幅を被検眼の乳頭の大きさの３倍程度に設定して使用するのが通常であるため、コンタクトレンズ内の空気と接した面からの反射を逃すために照明系の光軸を振る角度はさほど大きくはならない。
【０００４】
しかし、光凝固を行う眼底の箇所を変更する場合には、コンタクトレンズの位置も変更しなければならず、この際にコンタクトレンズからの反射光が細隙光で照明された眼底像の中に入ってしまう。
【０００５】
そこで、観察光軸に対して照明光軸を振り、反射を逃さなければならず、被検眼の眼底観察、眼底治療の妨げとなっていた。
【０００６】
一方、眼底のみを観察する場合、観察範囲が広く、照明光軸を広範囲に振る必要があり、このため、照明系が観察系の一部を塞いでしまい、眼底の両眼視は困難となる。
【０００７】
その対策として、例えば前置レンズとしてイエロー（黄色）型のものが使用される。イエロー型の前置レンズを使用すると、前置レンズからの反射光が観察視野内に入っていてもかなり弱く見え、照明光軸と観察光軸との角度がかなり小さく、眼底の両眼視をある程度実現できる。また、患者の網膜に対する刺激も弱く網膜保護の点で効果がある。
【０００８】
しかし、この場合には、眼底像の黄色味が増えてしまうという問題がある。
【０００９】
ところで、被検眼の眼底観察、眼底治療を目的とする実体顕微鏡の場合、照明系の光源は主にハロゲン電球が使用される。ハロゲン電球よる照明光は、色温度が高く、被検眼の前眼部観察には適している。
【００１０】
しかし、被検眼の眼底観察、眼底治療を行う場合には、照明光の色温度が高すぎ眼底像が白っぽく見えてしまい、フレアー成分も強く良好な眼底像を観察し又は観察しつつ治療を行うことができない。
【００１１】
尚、照明系の光源として例えばハロゲン電球により色温度が低いタングステン電球を使用することで、照明光は暖色系となり被検眼の眼底像を良好に観察し得ることが知られている。
【００１２】
【発明が解決しようとする課題】
上述したように、照明系の光源としてハロゲン電球を使用している実体顕微鏡の場合、被検眼の前眼部等の観察には適するものの被検眼の眼底観察を行う場合には、照明光の色温度が高すぎて不適当であるという問題があった。
【００１３】
そこで、本発明は、高い色温度の照明光照射による被検眼の角膜、水晶体等の前眼部やこの他の眼底以外の部位の観察機能を損なうことなく、眼底観察も良好に行うことが可能な実体顕微鏡を提供するものである。
【００１６】
【課題を解決するための手段】
請求項１記載の発明は、被検眼にハロゲン電球からなる光源が出射する照明光を照射する照明系と、この照明系により照明される被検眼の像を観察する観察系とを有する実体顕微鏡において、前記照明系の光路又は観察系の光路のいずれかに挿脱可能に備えた照明光又は観察光の色温度を変換する色温度変換素子と、前記被検眼に対する観察モードを、前眼部観察モードと眼内観察モードとに切り換えるモード切替手段と、モード切替手段により眼内観察モードに切り換えた時前記色温度変換素子を前記照明系の光路又は観察系の光路のいずれかに挿入し、前眼部観察モードに切り換えた時前記色温度変換素子を前記照明系の光路又は観察系の光路から離脱させる変換素子駆動手段とを有することを特徴とするものである。
【００１７】
この発明によれば、モード切替手段により、眼内観察モードに切り換えた時、変換素子駆動手段により前記色温度変換素子を前記照明系の光路又は観察系の光路のいずれかに挿入し、また、前眼部観察モードに切り換えた時前記色温度変換素子を前記照明系の光路又は観察系の光路から離脱させるものであるから、ハロゲン電球からなる光源による高い色温度の照明光照射による被検眼の前眼部観察機能を損なうことなく、しかも、被検眼の前眼部以外の眼内観察、例えば眼底観察等を行う場合には色温度変換素子により色温度を変換した状態での観察像を見ることが可能となり、前眼部観察、眼底観察等を各々良好に行うことができる。
【００１８】
請求項２記載の発明は、被検眼にハロゲン電球からなる光源が出射する照明光を照射する照明系と、この照明系により照明される被検眼の像を観察する観察系とを有する実体顕微鏡において、前記被検眼に対する観察モードを、前眼部観察モードと眼内観察モードとに切り換えるモード切替手段と、モード切替手段による眼内観察モード、前眼部観察モードへの切り替えに応じて、前記ハロゲン電球からなる光源の電圧を変更し、被検眼の眼内に対する照明光、前眼部に対する照明光の各照度の最適化を行う光源電圧制御手段とを有することを特徴とするものである。
【００１９】
この発明によれば、モード切替手段による前眼部観察モードと眼内観察モードとの切り替えに応じて、光源電圧制御手段がハロゲン電球からなる光源の電圧を変更し、被検眼の眼内に対する照明光、前眼部に対する照明光の各照度の最適化を行うものであるから、前眼部像の観察時、眼底等の眼内像の観察時に各々最適の画像を見ることができ、前眼部観察、眼底観察等を各々良好に行うことができる。
【００２０】
請求項３記載の発明は、被検眼にハロゲン電球からなる光源が出射する照明光を照射する照明系と、この照明系により照明される被検眼の像を観察する観察系とを有する実体顕微鏡において、前記照明系の光路又は観察系の光路のいずれかに挿脱可能に備えた照明光又は観察光の色温度を変換する色温度変換素子と、前記被検眼に対する観察モードを、前眼部観察モードと眼内観察モードとに切り換えるモード切替手段と、モード切替手段により眼内観察モードに切り換えた時前記色温度変換素子を前記照明系の光路又は観察系の光路のいずれかに挿入し、前眼部観察モードに切り換えた時前記色温度変換素子を前記照明系の光路又は観察系の光路から離脱させる変換素子駆動手段と、前記モード切替手段による眼内観察モード、前眼部観察モードへの切り替えに連動して、前記ハロゲン電球からなる光源の電圧を変更し、被検眼の眼内に対する照明光、前眼部に対する照明光の各照度の最適化を行う光源電圧制御手段とを有することを特徴とするものである。
【００２１】
この発明によれば、請求項２、３記載の発明を組み合わせた構成で、特に眼底等の眼内像の観察時に、色温度変換素子による色温度変換と、光源電圧制御手段による被検眼の眼内に対する照明光の照度変換との相乗作用でより一層良好な眼底観察等を行うことができる。
【００２２】
【発明の実施の形態】
以下に、本発明の実施の形態を説明する。
【００２３】
（実施の形態１）
図１に示す本実施の形態１の実体顕微鏡１は、テーブル２上に移動機構部３を介して水平横方向及び水平縦方向に移動可能に支持された基台４と、傾倒操作により基台４を水平横方向及び水平縦方向に変位させる操作ハンドル５と、前記基台４により各々支持された観察系６、光源や鏡筒本体に対峙して配置する細隙を有する照明系８と、観察系６の対物レンズを収納した鏡筒本体９に対峙させた被検者用の顎受部１０ａ、額当て１０ｂを有する顎受け台１０とを具備している。前記鏡筒本体９の側面には、観察倍率変倍用の回転軸を突設し、この回転軸に対して外周に観察系６の観察倍率を示す６，１０，１６，２５，４０等の数字を付した操作ノブ１１を装着するようになっている。
【００２４】
図２、図３は、本実施の形態の実体顕微鏡１の光学構成の概略を示すものであり、この細隙灯顕微鏡１は、鏡筒本体９に収納した観察系６と、鏡筒本体９に取り付けた撮像装置２０と、観察系６に対し、被検眼Ｅに対峙させるミラー１２に関して直交配置とした照明系８とを有している。
【００２５】
前記観察系６は、ミラー１２と、対物レンズ３１と、変倍光学系３２と、ビームスプリッタ３４と、リレーレンズ３５と、光路を接眼鏡筒９ａ側に変更するプリズム３６と、接眼鏡筒９ａに配置した接眼レンズ３７とを具備し、被検眼Ｅの像（図７に示す前眼部像、図８に示す眼底像等）を図２に示す結像点Ｐに結像し検者眼Ｅ0 により観察可能とするようになっている。
【００２６】
前記撮像装置２０は、前記ビームスプリッタ３４により分岐される光束を集光する集光レンズ４１と、この集光レンズ４１からの光束を９０度直角に曲げるミラー４２と、撮像カメラ４３とを具備している。
【００２７】
観察系６は、図３に示すように、検者眼Ｅ0 による立体視が可能なように２系統の構成となっている。
【００２８】
前記照明系８は、図２に示すように、ハロゲンランプからなる光源５１と、この光源５１からの光を集光する集光レンズ５２及び５３と、この集光レンズ５２及び５３を通過した光の一部のみを通過させる視野絞り５４と、視野絞り５４を通過した光を投影する投影レンズ５５と、前記光源５１と集光レンズ５２との間に配置したキセノンランプ等のストロボ光源５６とを具備している。
【００２９】
前記視野絞り５４と被検眼Ｅとは、投影レンズ５５に対して共役の位置になるように配置され、これにより、前記ミラー１２を介して被検眼Ｅの例えば角膜に対し、図６に示すように、局所的な照明光（以下「スリット光」という）を照射し、被検眼Ｅの角膜断面（図６に斜線を付して示す）Ｅｄに対応する前眼部像Ｅｄ´を観察可能としている。
【００３０】
本実施の形態１の実体顕微鏡１は、さらに、図２、図３に示すように、変倍光学系３２と集光レンズ３３との間に、観察光の色温度を変換する色温度変換素子６１を色温度変換素子駆動手段である電磁ソレノイド６５の動作で挿脱可能に配置している。
【００３１】
色温度変換素子６１は、図４に示すように、基板６２に２個の色温度変換フィルター６３を所定の間隔（中心間隔が照明系６の両眼用の光軸間距離Ｌと一致する間隔）で配置した構成となっている。
【００３２】
色温度変換素子６１の代わりに、図４に示すように、回転円板６４に前記光軸間距離Ｌに相当する間隔で２個の色温度変換フィルター６６を１８０度配置で設けるとともに、この２個の色温度変換フィルター６６と各々９０度ずらした位置に２個の抜穴６７を設けた色温度変換素子６１Ａとし、この色温度変換素子６１Ａを図示しない回転駆動手段で回転駆動して、２個の色温度変換フィルター６６を照明系６の両眼用の光軸に挿入したり（眼内モード時）、２個の抜穴６７を照明系６の両眼用の光軸に挿入する（前眼部モード時）構成とすることもできる。
【００３３】
図９は、実体顕微鏡１の制御系の主要部を示すものであり、前記光源５１の点灯駆動、駆動電圧の電圧制御を行う光源電圧制御手段として機能するとともに、ストロボ光源５５等の点灯制御を含むこの実態顕微鏡１全体の制御を行う制御部８１と、前記撮像カメラ４３と、実体顕微鏡１全体の動作に必要な電力を供給する電源部８５と、前記制御部８１に操作信号を供給する操作スイッチ８６とを有し、さらに、撮像カメラ４３からの画像信号を取り込む画像制御部８２と、この画像制御部８２に接続した液晶ディスプレイ等の画像モニタ８３と、画像制御部８２に接続した記憶手段である画像メモリ８４とを付加している。前記画像制御部８２、画像モニタ８３及び画像メモリ８４は実体顕微鏡１と別体の画像処理装置として構成している。
【００３４】
前記操作スイッチ８６には、被検眼Ｅに対する観察モードを前眼部モードとする前眼部キー９１と、被検眼Ｅに対する観察モードを眼内モードとする眼内キー９２とを有している。尚、前眼部モードとは被検眼Ｅの角膜、虹彩、水晶体等を観察するモードをいい、また、眼内モードとは被検眼Ｅの眼底、硝子体等を観察するモードを言うものとして以下の説明を行う。
【００３５】
次に、上述した本実施の形態１の実体顕微鏡１の作用を説明する。
【００３６】
この実体顕微鏡１において、前記前眼部キー９１を操作して、前眼部モードに設定した場合、前記制御部８１の制御の基に電磁ソレノイド６５は不動作状態を維持し、色温度変換素子６１の色温度変換フィルター６３は照明系６の光路に挿入されない離脱状態とする。
【００３７】
また、前記ハロゲン電球からなる光源５１から発光した光は集光レンズ５２を介して視野絞り５４を通過する。視野絞り５４と被検眼Ｅとは共役に配置されているので、視野絞り５４を通過して形成されたスリット光は投影レンズ５５、ミラー１２を経て図６に示すように被検眼Ｅの前眼部（角膜断面：図６に斜線を付して示す）Ｅｄに照射される。
【００３８】
このようにして、被検眼Ｅに照射され、被検眼Ｅの角膜断面Ｅｄで反射した光及び被検眼Ｅの全体で反射した光束は、高い色温度の状態で観察系６の対物レンズ３１に通過し、さらに、ビームスプリッタ３４を経てその一部が図２に示す結像点Ｐに結像し、検者眼Ｅ0 により前眼部像Ｅｄ´として明確に観察されることになる。
【００３９】
また、ビームスプリッタ３４により分岐される光束は、前記ミラー４２を経て撮像カメラ４３に入射し、これにより、検者眼Ｅ0 の観察像と同一の観察像が撮像カメラ４３により撮像され、前記画像制御部８２の制御の基に画像モニタ８３に送られて図７に示すように前眼部像Ｅｄ´として表示される。
【００４０】
一方、前記眼内キー９２を操作して、眼内モードに設定した場合、前記制御部８１の制御の基に電磁ソレノイド６５が動作し、色温度変換素子６１の色温度変換フィルター６３を照明系６の光路に挿入する。
【００４１】
これにより、上述した場合と同様な経路で被検眼Ｅの眼底Ｅｆに照明光が照射され、眼底Ｅｆからの反射光は観察系６の対物レンズ３１に通過し、さらに、変倍光学系３２、色温度変換フィルター６３、ビームスプリッタ３４を経てその一部が図２に示す結像点Ｐに色温度が変換され、暖色系の見易い眼底像Ｅｆ´として結像し、検者眼Ｅ0 により観察される。
【００４２】
また、画像モニタ８３に送られて図８に示すように眼底像Ｅｆ´として表示される。
【００４３】
このようにして、本実施の形態１によれば、被検眼Ｅの前眼部観察、眼底観察等を各々良好な状態で行うことができる。
【００４４】
図１０は、本実施の形態１の変形例を示すものであり、図２に示す場合に変えて、照明系８の視野絞り５４と投影レンズ５５との間に照明光の色温度を変換する色温度変換素子６１を色温度変換素子駆動手段である電磁ソレノイド６５の動作で挿脱可能に配置したことが特徴である。
【００４５】
色温度変換フィルター６３を照明系８の光路に入れた場合について考察すると眼底Ｅｆでの色温度をＫ1 、色温度変換素子６１を照明系８に入れた場合の眼底Ｅｆでの色温度をＫ2 、色温度変換素子６１の色温度変換能力（ミレッド値）をａとすれば、眼底Ｅｆでの色温度Ｋ2 は下記数１で表すことができる。
【００４６】
【数１】
0004476406.tif 000002
例えば、眼底Ｅｆでの色温度変換素子６１を入れない場合の色温度Ｋ1 ＝３３００Ｋ、色温度変換能力ａ＝４０とすれば、色温度変換素子６１を入れた場合の眼底Ｅｆ´の色温度Ｋ2 ＝２９１５Ｋとなる。
【００４７】
また、眼底Ｅｆでの色温度変換素子６１を入れない場合の色温度Ｋ1 ＝３８００Ｋ、色温度変換能力ａ＝４０とすれば、色温度変換素子６１を入れた場合の眼底Ｅｆでの色温度Ｋ2 ＝３２９９Ｋとなる。
【００４８】
このよう色温度をもった眼底Ｅｆの眼底像Ｅｆ´は依然として青白く観察される。また、物体面（眼底Ｅｆ面）での好ましい色温度は、２５００Ｋ乃至２９００Ｋ程度であることが知られている。
【００４９】
本実施の形態１では、物体面（眼底Ｅｆ面）での色温度が２５００Ｋ乃至２９００Ｋ程度になるような色温度変換能力ａをもった色温度変換素子６１を選定するものである。
【００５０】
（実施の形態２）
次に、本発明の実施の形態２の実体顕微鏡１について図９、図１１、図１２、図１３を参照してを説明する。図１１は、一般的な１２Ｖ、３０Ｗのハロゲン電球からなる光源５１の電圧−光束特性を示すものである。また、図１３は、１２Ｖ、３０Ｗのハロゲン電球の波長と分光放射輝度の変化との関係を示す特性図である。
【００５１】
本実施の形態２においては、前眼部キー９１、眼内キー９２の操作に応じて、前記ハロゲン電球からなる光源５１の電圧を変更し、被検眼Ｅの眼底Ｅｆに対する照明光、前眼部Ｅｄに対する照明光の各照度の最適化を行うようにしたことが特徴である。
【００５２】
即ち、リットを細かく切る必要があるとき、前眼部キー９１を操作して、前眼部モードに設定した場合、前記制御部８１の制御の基に光源５１に対する駆動電圧が例えば図１１、図１２に示す１２Ｖに設定され、この状態で照明系８の動作で前眼部Ｅｄに最高照度に近い照度（光束８００ルーメン程度）となる状態で照射が可能となる。
【００５３】
この結果、実施の形態１の場合と同様、検者眼Ｅ0 により前眼部像Ｅｄ´として明確に観察することが可能となる。
【００５４】
一方、前記眼内キー９２を操作して、眼内モードに設定した場合、前記制御部８１の制御の基に前記光源５１に対する駆動電圧が例えば図１１、図１２に示す８Ｖに設定され、この状態で最大でも照明系８の動作で眼底Ｅｆに前眼部モードに比べ１／４程度に落ちた照度（光束２２０ルーメン程度）となる状態でしか照射できなくなる。この結果、実施の形態１の場合と同様、検者眼Ｅ0 により、照度の低い見易い眼底像Ｅｆ´として観察することが可能となる。
【００５５】
ハロゲン電球からなる光源５１の波長と分光放射輝度の変化との関係は、照度４０万ルクスの場合、図１３に示す特性ａに示す如くであり、このとき色温度は３８１０Ｋである。
【００５６】
また、前記色温度変換素子６１をハロゲン電球からの照明光の光路に入れた場合には、光源５１の波長と分光放射輝度の変化との関係は図１３に示す特性ｂに示す如くであり、このとき色温度は３３８７Ｋ付近である。
【００５７】
従って、本実施の形態２のように、眼内モードで光源５１に対する駆動電圧を低下させて眼底Ｅｆの照明を行うと、恰も色温度変換能力の高い色温度変換素子６１を照明光の光路に入れたかのようにして照度の低い見易い眼底像Ｅｆ´として観察することができる。
【００５８】
また、上述した実施の形態１、２の双方の動作を組み合わせ、眼内モード時に前記制御部８１の制御の基に色温度変換素子６１の光路への挿入と、光源５１に対する駆動電圧の低減とを連動させることで、より一層見易い眼底像Ｅｆ´を結像させ、検者眼Ｅ0 により観察したり、撮像カメラ４３により撮像しより一層見易い眼底像Ｅｆ´として表示することも可能である。
【００５９】
尚、照明系８においては、図示していないが、観察機能を向上する等の目的で、ＮＤフィルター、グリーンフィルター、防熱フィルター、赤外線フィルター等が使用されるが、これらのフィルター群を組み込んだフィルター基板に上述した色温度変換素子６１の色温度変換フィルター６３を組み込んだ構成とすることも可能であり、これにより、色温度変換素子６１を別途組み込む場合よりも省スペース化、コスト低減を図れる。
【００６０】
尚、図１２は、本実施の形態２における電圧表示部１００を示すものである。この電圧表示部１００は、例えば液晶ディスプレイ等を用い、図１２の左欄に示すように０乃至１６Ｖのフル目盛１０１ａと図１２の右欄に示すように０乃至８Ｖのハーフ目盛１０１ｂとを随時切り替え表示する構成としている。
【００６１】
このような電圧表示部１００を用いることにより、前眼部モード、眼内モードの区別を明確に行いつつ光源５１の駆動電圧を確認することができる。
【００６２】
また、前眼部キー９１を操作して、前眼部モードに設定した状態において、色温度変換素子６１の光路への挿入を行って、前眼部像Ｅｄ´を観察することももちろん可能である。この場合には、前眼部像Ｅｄ´をよりコントラトの高い画像として観察可能である。
【００６３】
【発明の効果】
請求項１記載の発明によれば、高い色温度の照明光照射による被検眼の前眼部観察機能を損なうことなく、しかも、被検眼の前眼部以外の眼内観察、例えば眼底観察等を行う場合には色温度を変換した状態での観察像を見ることが可能となり、前眼部観察、眼底観察等を各々良好に行うことができる実体顕微鏡を提供することができる。
【００６４】
請求項２記載の発明によれば、前眼部像の観察時、眼底等の眼内像の観察時に各々照度が最適の画像を見ることができ、前眼部観察、眼底観察等を各々良好に行うことができる実体顕微鏡を提供することができる。
【００６５】
請求項３記載の発明によれば、色温度変換と照度変更とを組み合わせて、前眼部観察はもちろん、眼底観察等をより一層良好に行うことができる実体顕微鏡を提供することができる。
【図面の簡単な説明】
【図１】本発明の実施の形態１の実体顕微鏡の外観を示す側面図である。
【図２】本実施の形態１の実体顕微鏡の光学構成を示す概略図である。
【図３】本実施の形態１の実体顕微鏡の観察系の光学構成を示す概略図である。
【図４】本実施の形態１の色温度変換素子の平面図である。
【図５】本実施の形態１の色温度変換素子の他例を示す平面図である。
【図６】本実施の形態１の被検眼に対するスリット光の照射状態を示す説明図である。
【図７】本実施の形態１の前眼部像の表示状態を示す図である。
【図８】本実施の形態１の眼底像の表示状態を示す図である。
【図９】本実施の形態１の及び２の実体顕微鏡の制御系の主要部を示すブロック図である。
【図１０】本実施の形態１の実体顕微鏡の変形例を示す概略図である。
【図１１】本実施の形態２における光源の駆動電圧−光束特性を示す図である。
【図１２】本実施の形態２における電圧表示部を示す説明図である。
【図１３】本実施の形態２におけるハロゲン電球と波長の分光放射輝度の変化との関係を示す特性図である。
【符号の説明】
１  実体顕微鏡
６  観察系
８  照明系
１２  ミラー
２０  撮像装置
３１  対物レンズ
３２  変倍光学系
３４  ビームスプリッタ
３５  リレーレンズ
３６  プリズム
４３  撮像カメラ
５１  光源
５２  集光レンズ
５３  集光レンズ
５４  視野絞り
５５  投影レンズ
５６  ストロボ光源
６１  色温度変換素子
６３  色温度変換フィルター
６５  電磁ソレノイド
８１  制御部
８２  画像制御部
８３  画像モニタ
８４  画像メモリ
８６  操作スイッチ
９１  前眼部キー
９２  眼内キー
【図１】
0004476406.tif 000003
【図２】
0004476406.tif 000004
【図３】
0004476406.tif 000005
【図４】
0004476406.tif 000006
【図５】
0004476406.tif 000007
【図６】
0004476406.tif 000008
【図７】
0004476406.tif 000009
【図８】
0004476406.tif 000010
【図９】
0004476406.tif 000011
【図１０】
0004476406.tif 000012
【図１１】
0004476406.tif 000013
【図１２】
0004476406.tif 000014
【図１３】
0004476406.tif 000015